【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
ＩＣカードリーダライタを介しＩＣカードに接続し、
ネットワークまたは専用線を介し、ＩＣカード発行業務を行い且つ前記ＩＣカードの属
性情報を所定のフォーマットで保存するカード発行管理データベースを有するカード発行
管理システムに接続し、
前記ネットワークまたは前記専用線を介し、ＩＣカードのアプリケーションによるサー
ビス提供業務を行い且つ前記アプリケーションの属性情報を所定のフォーマットで保存す
るサービス提供管理データベースを有するサービス提供管理システムとに接続するコレー
タシステムであって、
前記ＩＣカードへの前記アプリケーションの搭載要求を受け、
前記アプリケーションの属性情報に対して要求される前記アプリケーションの搭載の許可条件であるカードポリシを、前記カード発行管理システムへ要求、取得し、
前記ＩＣカードの属性情報に対して要求される前記アプリケーションの搭載の許可条件であるアプリケーションポリシを、前記サービス提供管理システムへ要求、取得し、
前記カードポリシを解析して特定した前記カードポリシの判定に必要な前記アプリケーションの属性情報の項目と、前記カードポリシが指定する標記方法である定義フォーマットとを前記サービス提供管理システムに要求し、
前記サービス提供管理データベースから、前記定義フォーマットに従い変換された前記カードポリシの判定に必要な前記ＩＣカードのアプリケーションの属性情報の項目を取得し、
前記アプリケーションポリシを解析して特定した前記アプリケーションポリシの判定に必要な前記ＩＣカードの属性情報の項目と、前記アプリケーションポリシが指定する定義フォーマットとを前記カード発行管理システムへ要求し、
前記カード発行管理データベースから、前記定義フォーマットに従い変換された前記アプリケーションポリシの判定に必要な前記ＩＣカードの属性情報の項目を取得し、
前記変換されたＩＣカードのアプリケーションの属性情報により、前記カードポリシを判定し、
前記変換されたＩＣカードの属性情報により、前記アプリケーションポリシを判定し、
前記アプリケーションの前記ＩＣカードへの搭載可否を判定することを特徴とするコレータシステム。
【請求項２】
ＩＣカードリーダライタを介しＩＣカードに接続し、
ネットワークまたは専用線を介し、ＩＣカード発行業務を行い且つ前記ＩＣカードの属
性情報を所定のフォーマットで保存するカード発行管理データベースを有するカード発行
管理システムに接続し、
前記ネットワークまたは前記専用線を介し、ＩＣカードのアプリケーションによるサー
ビス提供業務を行い且つ前記アプリケーションの属性情報を所定のフォーマットで保存す
るサービス提供管理データベースを有するサービス提供管理システムとに接続するコレー
タシステムにおける前記アプリケーションの前記ＩＣカードへの搭載可否の判定方法であ
って、
前記ＩＣカードへの前記アプリケーションの搭載要求を受け、
前記アプリケーションの属性情報に対して要求される前
記アプリケーションの搭載の許可条件であるカードポリシを、前記カード発行管理システ
ムへ要求、取得し、
前記ＩＣカードの属性情報に対して要求される前記ア
プリケーションの搭載の許可条件であるアプリケーションポリシを、前記サービス提供管
理システムへ要求、取得し、
前記カードポリシを解析して特定した前記カードポリシの判定に必要な前記アプリケーションの属性情報の項目と、前記カードポリシが指定する標記方法である定義フォーマットとをサービス提供管理システムへ要求し、
前記サービス提供管理データベースから、前記定義フォーマットに従い変換された前記カードポリシの判定に必要な前記ＩＣカードのアプリケーションの属性情報の項目を取得し、
前記アプリケーションポリシーを解析して特定した前記アプリケーションポリシの判定に必要な前記ＩＣカードの属性情報の項目と、前記アプリケーションポリシが指定する定義フォーマットとをカード発行管理システムへ要求し、
前記カード発行管理データベースから、前記定義フォーマットに従い変換された前記アプリケーションポリシの判定に必要な前記ＩＣカードの属性情報の項目を取得し、
前記変換されたＩＣカードのアプリケーションの属性情報により、前記カードポリシを判定し、
前記変換されたＩＣカードの属性情報により、前記アプリケーションポリシを判定し、
前記アプリケーションの前記ＩＣカードへの搭載可否を判定することを特徴とする判定
方法。
【請求項３】
ＩＣカード発行業務を行うカード発行管理システムであって、
ＩＣカードのアプリケーションによるサービス提供業務を行いＩＣカードの属性情報に対して要求する前記アプリケーションの搭載の許可条件であるアプリケーションポリシを記憶するサービス提供管理システムと、前記カードポリシと前記アプリケーションポリシの判定を行うコレータシステムに、ネットワークまたは専用線を介し接続され、
ＩＣカードのアプリケーションの属性情報に対して要求する前記アプリケーションの搭載の許可条件であるカードポリシと、前記ＩＣカードの属性情報を所定のフォーマットで保存するカード発行管理データベースを有し、
前記コレータシステムからのカードポリシ取得要求に応じ、前記カードポリシを前記コ
レータシステムに送信し、
前記コレータシステムに指定される前記ＩＣカードの属性情報の項目を前記カード発行
管理データベースから抽出し、前記所定のフォーマットから前記アプリケーション属性情
報により指定される標記方法である定義フォーマットに従いＩＣカードの属性情報を変換
し、前記コレータシステムに送信することを特徴とするカード発行管理システム。
【請求項４】
請求項３に記載のカード発行管理システムであって、
前記カード発行管理データベースは、定義フォーマットと前記ＩＣカードの属性情報と
の間のマッピング規則であるマッピング情報を保存し、
前記カード発行管理システムは、
前記定義フォーマットに対応する前記マッピング規則を検索し、
前記指定されたＩＣカードの属性情報の項目を前記検索されたマッピング規則に従って
抽出し、
前記抽出された項目を前記定義フォーマットに従って変換し、前記コレータシステムに
送信することを特徴とするカード発行管理システム。
【請求項５】
請求項３または４に記載のカード発行管理システムであって、
前記定義フォーマットは複数あることを特徴とするカード発行管理システム。
【請求項６】
請求項５に記載のカード発行管理システムであって、
前記カード発行管理データベースが、
前記複数の定義フォーマットのそれぞれ対応する複数の前記マッピング規則情報を保存
することを特徴とするカード発行管理システム。
【請求項７】
請求項３から６のいずれかに記載のカード発行管理システムであって、
前記定義フォーマットは、Ｗｅｂサーバにて管理され、
前記カード発行管理システムは前記Ｗｅｂサーバにアクセスすることにより、前記定義
フォーマットを利用することを特徴とするカード発行管理システム。
【請求項８】
ＩＣカードのアプリケーションによるサービス提供業務を行うサービス提供管理システ
ムであって、
ＩＣカードのアプリケーションの属性情報に対して要求する前記アプリケーションの搭載の許可条件であるカードポリシを記録し、ＩＣカード発行業務を行うカード発行管理システムと、前記カードポリシと前記アプリケーションポリシの判定を行うコレータシステムに、ネットワークまたは専用線を介し接続され、
ＩＣカードの属性情報に対して要求する前記アプリケーションの搭載の許可条件であるアプリケーションポリシと、前記アプリケーションの属性情報を所定のフォーマットで保存するサービス提供管理データベースを有し、
前記コレータシステムからのアプリケーションポリシ取得要求に応じ、前記アプリケー
ションポリシを前記コレータシステムに送信し、
前記コレータシステムに指定される前記アプリケーションの属性情報の項目を前記カー
ド発行管理データベースから抽出し、前記所定のフォーマットから前記ＩＣカードの属性
情報により指定される標記方法である定義フォーマットに従いＩＣカードの属性情報を変
換し、前記コレータシステムに送信することを特徴とするサービス提供管理システム。
【請求項９】
請求項８に記載のカード発行管理システムであって、
前記サービス提供管理データベースは、定義フォーマットと前記ＩＣカードの属性情報
との間のマッピング規則であるマッピング情報を保存し、
前記サービス提供管理システムは、
前記定義フォーマットに対応する前記マッピング規則を検索し、
前記指定されたＩＣカードの属性情報の項目を前記検索されたマッピング規則に従って
抽出し、
前記抽出された項目を前記定義フォーマットに従って変換し、前記コレータシステムに
送信することを特徴とするサービス提供管理システム。
【請求項１０】
請求項３または４に記載のカード発行管理システムであって、
前記定義フォーマットは複数あることを特徴とするサービス提供管理システム。
【請求項１１】
請求項５に記載のカード発行管理システムであって、
前記サービス提供管理データベースが、
前記複数の定義フォーマットのそれぞれ対応する複数の前記マッピング規則情報を保存
することを特徴とするサービス提供管理システム。
【請求項１２】
請求項３から６のいずれかに記載のカード発行管理システムであって、
前記定義フォーマットは、Ｗｅｂサーバにて管理され、
前記サービス提供管理システムは前記Ｗｅｂサーバにアクセスすることにより、前記定
義フォーマットを利用することを特徴とするサービス提供管理システム。